(57)【特許請求の範囲】
【請求項１】
複数の第１プレキャストコンクリート板、
前記複数の第１プレキャストコンクリート板と夫々対向配置された複数の第２プレキャストコンクリート板と、
前記複数の第１プレキャストコンクリート板のそれぞれと、前記複数の第２プレキャストコンクリート板のそれぞれとの間に介装された４つの振動吸収体と、
を備え、
前記第１及び前記第２プレキャストコンクリート板の互いに対向する面の互いに対向する位置に前記振動吸収体を収容する凹所が設けられ、
前記複数の第１プレキャストコンクリート板が建築構造物の屋上に固着手段を介して取り付けられ、
前記複数の第２プレキャストコンクリート板に複数の溝が形成され、
室外機の脚部と固定可能とした移動子が前記複数の溝に着脱自在かつ移動自在に設けられ、
前記脚部と前記移動子は、正面視において前記脚部よりも前記移動子の横幅が広い幅広形に形成してあり、
前記溝は、前記幅広形に相補的に対応した断面形状の溝で形成してある、
ことを特徴とする室外機用のプレキャストコンクリート防振ベースプレート。
【請求項２】
前記幅広形の溝は、第２プレキャストコンクリート板の外側端面に露出しており、前記室外機の前記脚部と前記移動子を前記外側端面の前記幅広形の溝から挿入することを特徴とする請求項１に記載のプレキャストコンクリート防振プレート。
【請求項３】
前記第１及び第２プレキャストコンクリート板がほぼ直方体の形状を呈し、当該第１及び第２プレキャストコンクリート板が互いに対向する面の互いに対向する四隅に凹所を形成し、その凹部間に前記振動吸収体を収容してあることを特徴とする請求項１又は２に記載のプレキャストコンクリート防振プレート。
【請求項４】
前記幅広形の溝が、前記複数の第２プレキャストコンクリート板に埋設された鋼材によって形成されたことを特徴とする請求項１乃至３のいずれか一項に記載のプレキャストコンクリート防振ベースプレート。
【請求項５】
前記振動吸収体がコイルバネ、空気ばね、弾性体からなる群から選択される一種又は二種以上である請求項１乃至４のいずれか一項に記載のプレキャストコンクリート防振プレート。
【請求項６】
前記振動吸収体として、高発泡材を弾性材材料からなるカバー内に充填したものを前記第１プレキャストコンクリート板と前記第２プレキャストコンクリート板の間に端部を介して介装した請求項１に記載のプレキャストコンクリート防振プレート。
【発明の詳細な説明】
【技術分野】
【０００１】
本発明はプレキャストコンクリート防振ベースプレートに関する。より詳しくは、一階での設置スペースがない店舗・事業所・住宅兼用の複合ビル（狭小建物）の屋上に設置されるプレキャストコンクリート防振ベースプレートに関する。
【背景技術】
【０００２】
ベランダ、テラス等マンションの限られた屋上スペースに設置される室外機の防振架台として上下一対の矩形状の架台の間に振動吸収体として、バネを備えた円筒状の振動吸収体を複数配設し、下の架台をアンカーボルトで床面に固定するものが使用されている。
【０００３】
ここで図１３を参照して従来の空調機室外機の防振架台について説明する。この従来の防振架台（４０）は、地面やベランダ等の室外の基礎に固定される下部架台（４１）と、空調機室外機（１２０）を搭載する上部架台（４２）と、下部架台（４１）と上部架台（４２）との間に配置された金属バネ（４３）を備えている。防振架台（４０）の上部架台（４２）上には、空調機室外機（１２０）を直接載置する横スライド（４４）を備えている。
【０００４】
図１４は、図１５で示した横スライド（４４）の断面を示す概略図で、この横スライド（４４）は、中央部に凹状の窪み（５０ａ）を有する２枚の板材（５０）と、円柱形のコロ（５１）を有し、２枚の板材（５０）のそれぞれの窪み（５０ａ）を上下に対向させ、２つの窪み（５０ａ）で形成された空間にコロ（５１）を挟み込むように構成されている。
【０００５】
上述の従来の空調機室外機の防振架台（４０）においては、下部架台（４１）と上部架台（４２）との間に配置された金属バネ（４３）の弾性機能によって、縦方向（垂直方向）の振動を吸収している。また、同時に、防振架台（４０）の上部架台（４２）と空調機室外機（１２０）との間に設けられた横スライド（４４）内のコロ（５１）の回転効果による慣性力によって、横方向（水平方向）の振動を吸収している。
【０００６】
図１４と図１５に示したような従来の空調機室外機の防振架台及び横スライドによれば、防振架台と横スライドが別部品であるため、空調機室外機を防振架台上の横スライドに搭載する際に僅かな衝撃を与えただけで、横スライド本体や横スライド内のコロが正常な位置から容易にズレが生じるため、空調機室外機の取り付けが困難であるという問題があった。
【０００７】
また、横スライドが外界に露出しているため、横スライド内の窪みに水や砂等が入り込み易かった。そのためコロや窪みに磨耗や錆等による変形が生じ、耐久性が著しく低下すると共に、水平方向の振動の吸収性も低下するという問題があった。
【０００８】
特許文献１はこのような問題に鑑みてなされたもので、その目的は、空調機室外機の設置が容易で、作業性に優れた空調機室外機の防振架台を提供するとしている。また、特許文献１の目的は、耐久性に優れ、水平方向の振動吸収性が低下しない空調機室外機の防振架台を提供するとしている。
【０００９】
上記の課題を解決するため、特許文献１の空調機室外機の防振架台は、冷媒の圧縮機等を含む空調機室外機を支持する防振架台であって、基礎に固定される下部架台と、室外機を搭載する上部架台と、下部架台と上部架台間に配置された金属バネ、及び、同金属バネに直列に連結された横スライド式吸振機構の組み合わせからなる防振構造とを具備している。横スライド式吸振機構を金属バネに直列に連結した防振構造を、下部架台と上部架台との間に配置することによって、空調機室外機を直接上部架台上に搭載できるため、空調機室外機の取り付け作業に関連する問題を解消することができる。
【先行技術文献】
【特許文献】
【００１０】
【特許文献１】特開平１１−１９３９４３号公報
【発明の概要】
【発明が解決しようとする課題】
【００１１】
しかし、上記特許文献１記載の発明は、横スライド式吸振機構は下部架台と上部架台間に配置された金属バネに直列に連結される構成であるため、構成が複雑である。そのうえ、空調機室外機の防振架台自体がビルの屋上に設置されることを目的とするものではなくベランダや地面に設置されることを想定していて、直射日光や風雨に晒される厳しい環境下で数年以上に亘って適切・確実に動作することは考慮されていない。
【００１２】
本発明は、シンプルな構成で、そのうえ、空調機室外機の防振架台自体がビルの屋上に設置され、直射日光や風雨に晒される厳しい環境下で数年以上に亘って適切に動作するプレキャストコンクリート製の防振ベースプレートを提供することを目的とする。
【課題を解決するための手段】
【００１３】
本発明の請求項１は、複数の第１プレキャストコンクリート板と、
前記複数の第１プレキャストコンクリート板と夫々対向配置された複数の第２プレキャストコンクリート板と、
前記複数の第１プレキャストコンクリート板のそれぞれと、前記複数の第２プレキャストコンクリート板のそれぞれとの間に介装された４つの振動吸収体と、
を備え、
前記複数の第１プレキャストコンクリート板が建築構造物の屋上に固着手段を介して取り付けられ、
前記複数の第２プレキャストコンクリート板に複数の溝が形成され、
室外機の脚部と固定可能とした移動子が前記複数の溝にかつ移動自在に設けられる
ことを特徴とする室外機用のプレキャストコンクリート防振ベースプレートに関する。
【００１４】
請求項２は、前記建築構造物が複合ビルである請求項１に記載のプレキャストコンクリート防振ベースプレートに関する。
【００１５】
請求項３は、前記複数の第２プレキャストコンクリート板に埋設された鋼材によって形成されたことを特徴とする請求項１又は２に記載のプレキャストコンクリート防振ベースプレートに関する。
【００１６】
請求項４は、前記複数の溝が、前記第１及び第２プレキャストコンクリート板がほぼ直方体の形状を呈し、当該第１及び第２プレキャストコンクリート板が互いに対向する面の互いに対向する四隅に前記振動吸収体が取り付けられる請求項１乃至３のいずれか一項に記載のプレキャストコンクリート防振プレート。
【００１７】
請求項５は、前記振動吸収体がコイルバネ、空気ばね、弾性体からなる群から選択される一種又は二種以上である請求項１乃至４のいずれか一項に記載のプレキャストコンクリート防振プレートに関する。
【発明の効果】
【００１８】
本発明の請求項１乃至５のプレキャストコンクリート防振プレートによれば、複数の第１プレキャストコンクリート板と、
前記複数の第１プレキャストコンクリート板と夫々対向配置された複数の第２プレキャストコンクリート板と、
前記複数の第１プレキャストコンクリート板のそれぞれと、前記複数の第２プレキャストコンクリート板のそれぞれとの間に介装された４つの振動吸収体と、
を備え、
前記複数の第１プレキャストコンクリート板が建築構造物の屋上に固着手段を介して取り付けられ、
前記複数の第２プレキャストコンクリート板に複数の溝が形成され、
室外機の脚部の移動子が前記複数の溝にかつ移動自在に設けられる構成を具備しているので、例えば、９０ｃｍ×１８０ｃｍの小さな面積の２つのブロックに分割して屋上に搬入することができ、搬入後に２以上の複数のブロックを繋ぎ合わせて大面積のプレキャストコンクリート防振プレートを実現することができる。更に、第１プレキャストコンクリート板と、第２プレキャストコンクリート板の間に介装された振動吸収体を備えているので縦方向の振動を吸収できるだけでなく、室外機の脚部の移動子が前記複数の溝に着脱自在かつ移動自在に設けられるので、狭隘な屋上スペースに複数の室外機を効率的に設置することができ、かつ横方向の振動を吸収することができる（設置の容易性・確実性と横方向の振動を吸収）ことを達成することができる。
【図面の簡単な説明】
【００１９】
【図１】図１は本発明の一実施形態に係るプレキャストコンクリート防振プレートが複合ビルの屋上に設置された状態を示す説明図である。
【図２】図２は本発明の一実施形態のプレキャストコンクリート防振プレートを構成する第１プレキャストコンクリート板と、第２プレキャストコンクリート板と、振動吸収体を示す斜視図である。
【図３】図３は図２のプレキャストコンクリート防振プレートの断面説明図である。
【図４】図４は、図２及び３のプレキャストコンクリート防振プレートに適用される振動吸収体の代替例を示す部分断面説明図である。
【図５】図５は、図１及び２のプレキャストコンクリート防振プレートを構成する第２プレキャストコンクリート板の溝と、第２プレキャストコンクリート板に取り付けられる室外機又は室外機を支持する籠部材を示す部分斜視図である。
【図６】図５のプレキャストコンクリート防振プレートを構成する第２プレキャストコンクリート板の溝として適用される形状を示す説明図である。
【図７】本実施形態に係る第２プレキャストコンクリート板への溝の形成方法の一例を例証する説明図である。
【図８】本実施形態に係る第２プレキャストコンクリート板への溝の形成方法の他の例を例証する説明図である。
【図９】本実施形態に係る第２プレキャストコンクリート板への溝の形成方法の更に他の例を例証する説明図である。
【図１０】本実施形態に係る第２プレキャストコンクリート板同士を水平方向に連結する方法の一例を例証する説明図である。
【図１１】本実施形態に係る第２プレキャストコンクリート板同士を水平方向に連結する方法の他の例を例証する説明図である。
【図１２】本実施形態に係る第２プレキャストコンクリート板への室外機の取り付け方法の一例を例証する説明図である。
【図１３】本発明のプレキャストコンクリート防振プレートに採用されるストッパ構造の一例を示す図である。
【図１４】従来技術に係る室外機防振機構の一例を示す説明図である。
【図１５】図１４の室外機防振機構の水平方向の振動吸収部の説明図である。
【発明を実施するための形態】
【００２０】
添付図面を参照しつつ以下に本発明の実施形態を詳細に説明する。
【００２１】
［実施形態１］
図１−５を参照すると、本実施形態のプレキャストコンクリート防振プレート（１）は、複数の第１プレキャストコンクリート板（２）と、複数の第１プレキャストコンクリート板（２）と夫々対向配置された複数の第２プレキャストコンクリート板（３）と、複数の第１プレキャストコンクリート板（２）のそれぞれと、複数の第２プレキャストコンクリート板（３）のそれぞれとの間に介装された振動吸収体（Ｓ）とを備えている。ここで図１３を参照すると、図１３は参照符号（β）は本発明のプレキャストコンクリート防振プレートの一部領域（α）の拡大図である。第1プレキャストコンクリート板（２）と第2プレキャストコンクリート板（３）の間に構成されたストッパボルトを用いたストッパ構造によって固定する。すなわち、第１プレキャストコンクリート板（２）と、丸ワッシャ及びゴムブッシュを介して第２プレキャストコンクリート板（３）を貫通するボルトによって固定され、図１３に示されるように、ボルトとゴムブッシュとの間に隙間を設けることで、第1プレキャストコンクリート板（２）と第2プレキャストコンクリート板（３）が固定され、かつ水平方向の振動を吸収することができる。
【００２２】
図２を参照すると、振動吸収体（Ｓ）として４つの金属製のバネ（Ｓ）が例証されているが、これに限られることはない。４つ以上の金属製のバネ（Ｓ）を採用することも可能である。また、振動吸収体（Ｓ）として金属製のバネ（Ｓ）の代わりに空気バネ、天然又は合成ゴム若しくはエラスメリックな樹脂からなる弾性体のほか、後述する高発泡材などの組み合わせを採用することができる。また図２を参照すると、第１プレキャストコンクリート板（２）と、第２プレキャストコンクリート板（３）の対向面には凹所（Ｒ）が設けられていて、この凹所（Ｒ）に金属製のバネ（Ｓ）の端部が嵌入される。このように、第１プレキャストコンクリート板（２）と、第２プレキャストコンクリート板（３）の間に介装された振動吸収体（Ｓ）を備えているので縦方向の振動を吸収できる。
ここで図４を参照すると、振動吸収体（Ｓ）として、例えば高発泡ウレタンなどの高発泡材（ＦＭ）をゴムなどの弾性材材料からなるカバー（Ｃ）内に充填したものを第１プレキャストコンクリート板（２）と、第２プレキャストコンクリート板（３）の間に端部（Ｃｔ）を介して介装することも可能である。振動吸収体（Ｓ）として、例えば高発泡ウレタンなどの高発泡材をゴムなどの弾性材材料からなるカバー（Ｃ）内に充填したものを採用すると、風雨に晒される屋上で長期間にわたって動作し得るプレキャストコンクリート防振プレートを達成することができる。
【００２３】
図１を参照すると、複数の第１プレキャストコンクリート板（２）は複合ビルなどの建築構造物（Ｂ）の屋上にアンカーボルト（図示せず）によって取り付けられ得る。
【００２４】
ここで、図５−９を参照すると、本実施形態のプレキャストコンクリート防振プレート（１）を構成する第２プレキャストコンクリート板（３）には複数の溝（Ｇ）が形成されている。溝（Ｇ）の形成の仕方としては、図７に示されるように、例えばＸ軸方向に平行に２つの溝（Ｇ）が形成されたもの、図８に示されるように、Ｙ軸に平行に２つの溝（Ｇ）が形成されたもの、図９に示されるように、Ｘ軸とＹ軸それぞれに平行に２つの溝（Ｇ）が形成されたものが好適に採用され得る。また、第１プレキャストコンクリート板（２）にも、第２プレキャストコンクリート板（３）と同様に、Ｘ軸方向に平行に２つの溝（Ｇ）が形成されたもの、或いはＹ軸に平行に２つの溝（Ｇ）が形成されたもの、或いはＸ軸方向とＹ軸方向それぞれに平行に２つの溝（Ｇ）が形成されたものを採用することができる。
【００２５】
この溝（Ｇ）に室外機（Ｍ）の脚部（Ｌ）の移動子（ＬＭ）が着脱自在かつ移動自在に嵌入される。移動子（ＬＭ）として、図５に示されたものの他、図６の（ａ）、（ｂ）及び（ｃ）に示されるとおりの形状にほぼ相補的な外形形状を呈する１つの車輪又は複数の車輪の組み合わせが採用され得る。
【００２６】
つぎに図１０及図１１を参照すると、本実施形態のプレキャストコンクリート防振プレート（１）を水平方向に２つ連結する手段として、一方のプレキャストコンクリート防振プレート（１）を構成する第２プレキャストコンクリート板（３）の側縁から延びる突出部（Ｃｏｎｖ）と、他方のプレキャストコンクリート防振プレート（１）を構成する第２プレキャストコンクリート板（３）の側縁に形成された凹所（Ｃｏｎｃ）から成る雄雌機構が採用される。
【００２７】
図１２を参照すると、本実施形態のプレキャストコンクリート防振プレート（１）を構成する第２プレキャストコンクリート板（３）に形成された溝（Ｇ）への室外機（Ｍ）の取り付け機構の一例が例証されている。本実施形態に適用される取り付け機構は、垂直部（Ｌｙ）と水平部（Ｌｘ）から成る脚部（Ｌ）と、この水平部（Ｌｘ）を貫通して溝（Ｇ）内に延びるネジ部（Ｂ）と、ネジ部（Ｂ）に固定された支持部（ＬＭｓ）と支持部（ＬＭｓ）に回転自在に支持された車軸（ＬＭｘ）を備えた車輪部（ＬＭｗ）から成る移動子（ＬＭ）と、ネジ（Ｂ）に螺合するナット（Ｎ）とから構成され、溝（Ｇ）と移動子（ＬＭ）は水平方向の隙間（ｄ１）及び垂直方向の隙間（ｄ２）が設けられてなるものである。そして、水平方向の隙間（ｄ１）及び垂直方向の隙間（ｄ２）は、室外機（Ｍ）の質量や車輪部（ＬＭｗ）の径等から適宜決められる。
【００２８】
仮に水平方向に振動する地震が起こると、移動子（ＬＭ）が第２プレキャストコンクリート板（３）には溝（Ｇ）内で転がることで、屋上からの振動が室外機（Ｍ）に直接伝達されることはない。言い換えれば、屋上が振動したとしても室外機（Ｍ）は移動子（ＬＭ）を２プレキャストコンクリート板（３）に対して相対的に移動させることで水平方向の振動エネルギーが減衰される。
【００２９】
本実施形態では、第２プレキャストコンクリート板（３）自体に溝（Ｇ）が形成されているが。この構成に限られることはなく、第２プレキャストコンクリート板（３）にＵ字状の鋼材など複数の異形材を埋設して形成することも可能である。狭隘な屋上スペースに複数の室外機を効率的に設置することができ、かつ横方向の振動を吸収することができること（設置の容易性・確実性と横方向の振動を吸収すること）を達成することができる。
【産業上の利用可能性】
【００３０】
本発明の請求項１乃至５のプレキャストコンクリート防振プレートによれば、複数の第１プレキャストコンクリート板と、前記複数の第１プレキャストコンクリート板と夫々対向配置された複数の第２プレキャストコンクリート板と、前記複数の第１プレキャストコンクリート板のそれぞれと、前記複数の第２プレキャストコンクリート板のそれぞれとの間に介装された４つの振動吸収体と、を備え、前記複数の第１プレキャストコンクリート板が建築構造物の屋上に固着手段を介して取り付けられ、前記複数の第２プレキャストコンクリート板に複数の溝が形成され、室外機が該室外機の脚部の移動子が前記複数の溝にかつ移動自在に設けられる構成を具備しているので、例えば、９０ｃｍ×１８０ｃｍの小さな面積の２以上の複数のブロックに分割して屋上に搬入することができ、搬入後に２つのブロックを繋ぎ合わせて大面積のプレキャストコンクリート防振プレートを実現することができる。更に、第１プレキャストコンクリート板と、第２プレキャストコンクリート板の間に介装された振動吸収体を備えているので縦方向の振動を吸収できるだけでなく、室外機が該室外機の脚部の移動子が前記複数の溝にかつ移動自在に設けられるので、横方向の振動も吸収することが可能である。
【符号の説明】
【００３１】
１          プレキャストコンクリート防振プレート
２          第１プレキャストコンクリート板
３          第２プレキャストコンクリート板
Ｃ          カバー
Ｃｏｎｖ    突出部
Ｃｏｎｃ    凹所
Ｃｔ        カバーの端部
ＦＭ        高発泡材
Ｇ、Ｇ２、Ｇ３      溝
Ｌ          脚部
ＬＭ        移動子
ＬＭｓ      支持部
ＬＭｗ      車輪部
ＬＭｘ      車軸
Ｌｘ        水平部
Ｌｙ        垂直部
Ｍ、Ｍ１、Ｍ２、Ｍ３、Ｍ４      室外機又は籠体
Ｒ          凹所
Ｓ          振動吸収体（金属製バネ）
【図１】
0006669391.tif 000002
【図２】
0006669391.tif 000003
【図３】
0006669391.tif 000004
【図４】
0006669391.tif 000005
【図５】
0006669391.tif 000006
【図６】
0006669391.tif 000007
【図７】
0006669391.tif 000008
【図８】
0006669391.tif 000009
【図９】
0006669391.tif 000010
【図１０】
0006669391.tif 000011
【図１１】
0006669391.tif 000012
【図１２】
0006669391.tif 000013
【図１３】
0006669391.tif 000014
【図１４】
0006669391.tif 000015
【図１５】
0006669391.tif 000016